(57)【要約】【課題】浄水専用水栓を有する分岐型の浄水システムであって、簡単な操作でかつコンパクトな構造で浄水専用水栓の出口側からの浮遊菌等の浸入及びホース内の菌体増殖を抑え、優れた逆汚染防止機能を発揮すること。【解決手段】浄水器８と接続するための浄水専用流路を水道流路２から分岐し、この分岐した流路３に浄水器８を設けて水道水をろ過する浄水システムにおいて、少なくともろ過した浄水の吐水の終了時に、浄水を吐水するための浄水路６内に水道水を導き、この水道水中に含まれる塩素により浄水を吐水する吐水口７より雑菌が浸入するのを抑制するようにした浄水システムである。【選択図】　　　　　図１
2004100351.tif 000002
【特許請求の範囲】
【請求項１】
浄水器と接続するための浄水専用流路を水道流路から分岐し、この分岐した流路に浄水器を設けて水道水をろ過する浄水システムにおいて、少なくともろ過した浄水の吐水の終了時に、浄水を吐水するための浄水路内に水道水を導き、この水道水中に含まれる塩素により浄水を吐水する吐水口より雑菌が浸入するのを抑制するようにしたことを特徴とする浄水システム。
【請求項２】
浄水の吐水停止状態において、浄水器の一次側と吐水口側とを短絡することにより、浄水器内の圧力をリリーフして、吐水口からの水漏れを防止した請求項１記載の浄水システム。
【請求項３】
浄水器と接続するための浄水専用流路を水道流路から分岐し、この分岐した流路に浄水器を設けて水道水をろ過する浄水システムに用いる水栓であって、水道流路から分岐した分岐流路と、この分岐流路から浄水器内に水道水を導くための一次側流路と、浄水器からの浄水を吐水するための吐水流路とを接続し、前記分岐流路を開閉する弁体に、前記吐水流路から分岐した吐水分岐流路を開閉するポートを形成し、少なくとも分岐流路の閉過程にて、分岐流路と吐水分岐流路とを前記ポートを介して連通し、水道水を吐水流路に導いたことを特徴とする浄水システムに用いる浄水専用水栓。
【請求項４】
分岐流路と吐水分岐流路との連通状態を維持できるよう、弁体の回動を固定するロック機構を設けたことを特徴とする請求項３に記載の浄水システムに用いる浄水専用水栓。
【請求項５】
上記分岐流路の閉止状態において、一次側流路と吐水分岐流路とを連通し、浄水器内の圧力を吐水分岐流路を介して吐水口からリリーフすることにより、吐水口からの水漏れを防止した請求項３または４に記載の浄水システムに用いる浄水専用水栓。
【発明の詳細な説明】
【０００１】
【発明の属する技術分野】
本発明は、水道水の流路を分岐して、この水道水の流路に中空糸膜等を用いた浄水器を設け、この浄水器によってろ過した浄水を浄水専用水栓から吐水するようにした浄水システム及びこの浄水システムに用いる浄水専用水栓に関する。
【０００２】
【従来の技術】
水道水を浄水に大量にろ過するために浄水器を用いた浄水システムとしては、例えば、ビルトイン型（アンダーシンク型）と呼ばれるものがあり、この浄水システムは、キッチンの下のデッドスペースに大型の浄水カートリッジを有する浄水器を取付け、この浄水器によって水道水をろ過させることにより大量の浄水処理を可能としている。
このような浄水器を水栓に取付ける場合には、湯又は水からなる水道水を吐出する混合水栓に浄水器の流路を一体に設けた混合水栓一体型（混合栓）と、浄水のみを吐水させるための浄水専用水栓を水道流路から分岐し、この分岐した流路に浄水器を設けた分岐型（単水栓）がある。
【０００３】
混合水栓一体型の浄水システムは、水道水と浄水とを切換えて使用し、水栓の吐出口から水道水又は浄水をその都度切換えて吐出させている。従って、どちらか一方を吐水しているときには残りの一方を吐水できず、水道水と浄水器を一度に使用することはできない。
一方、分岐型の浄水システムは、混合水栓と浄水専用水栓を別々に設けているため、両方を同時に使用でき、水道水と浄水を一度に吐水させることができ、利用時における機能性に優れている等のメリットがあり、このように専用水栓は使い勝手に優れている。
【０００４】
ところで、混合水栓一体型の浄水システムの場合には、水道水と浄水とを交互に使用するため、これらを吐出する吐出口表面付近は消毒殺菌作用を有する塩素等を含む水道水と浄水とが交じり合うようになっている。
一方、分岐型の浄水システムの場合には、浄水のみを使用するため、吐出口表面や、この吐出口表面付近から浄水器内部までの流路は常にろ過された浄水で充填された状態になっている。
【０００５】
【発明が解決しようとする課題】
このように、分岐型の浄水システムの場合には、混合水栓一体型の浄水システムの場合とは異なり、常に浄水のみを出口側から吐出するようにしているため、塩素等を含んだ水道水で消毒されることがなく吐出口から空気中の浮遊菌等の菌類が浸入しやすい。
【０００６】
このように、吐出口から菌類が浸入する汚染のことを一般に逆汚染と呼んでおり、この汚染の発生頻度としては、水道水に塩素が含有されているか否かによって影響を受けると考えられ、逆汚染がひとたび発生すると、浄水専用水栓に用いられている弁のオンオフ等によって、この汚染は浄水の吐出口付近だけでなく吐出口から水栓と浄水器を接続しているホース内部全体への汚染が広がるおそれがある。
【０００７】
また、逆汚染が発生する以前の状態であったとしても、何らかの理由によってホース内面に菌類が付着していると、塩素雰囲気下状態にない浄水で満たされたホース内部ではこの菌類が繁殖してしまい、この結果、ホース内面がたとえ平滑性を有して菌類が繁殖し難い状態にあったとしても、菌類の着床が進んでしまう懸念がある。
【０００８】
一方、活性炭層を通過して得られる浄水は、そのＰＨが弱アルカリ性に傾き、このように水のイオン化平衡が崩れた場合には一般に水中の鉱物（性）イオンは結晶化すると言われている。浄水中の鉱物（性）イオンが結晶化すると、これらはシリカ、カルシウム等の結晶となり、これらの結晶はホース内の菌類の着床面に積層するとホース内面に硬質成分の汚れ面が形成されたり、菌類によって有機系物質の汚れ面が形成されたりしてホース内に付着する場合がある。
【０００９】
さらにこれらは、ホース内を常時浄水が流れることによって積層し易くなり、これらの積層物はある程度積層すると剥離して水栓吐出口から浄水とともに流れ出る二次汚染の可能性がある。この積層物の種類としては、例えば、シリカ等の硬質成分や藻等の有機系物質などがあり、このように浄水専用水栓システムの場合、中空糸膜等で浄化した浄水中に菌類や積層物などが混入して本来の浄水システムの役割を果たすことができないおそれがあった。
【００１０】
ここで、浄水器内部での微生物の発生を防ぐ技術として、特開２００２−１５５５５５号公報に開示された技術がある。この技術は、混合水栓一体型の給水装置であり、浄水器に原水を導入する一次側流路と、浄水器から蛇口に至る二次側流路と、一次側流路から分岐して二次側流路に合流するバイパス流路と、分岐部に介在する流路切換・遮断手段と、二時側流路に介装された逆流阻止手段と、制御装置と、操作スイッチを備え、流路切換・遮断手段により、止水中には原水供給を遮断し、浄水吐出時に一次側流路の上流側と下流側を連通し、原水吐出時に一次側流路の上流側とバイパス流路とを連通し、所定時間経過毎もしくは止水時間が設定値に達する毎に一次側流路の上流側とバイパス流路とを一時的に連通させるというものである。しかし、浄水と原水の吐水の切換には、浄水の吐水操作とは別に操作スイッチの反転操作を行わなければならず、操作に手間がかかるものであった。また、流路の切換には電磁開閉弁や電動切換弁等の電気部品を用いているので、装置も大きいものとなることに加え、停電時には流路の切換操作ができないなどの課題を有していた。
【００１１】
本発明は、上記問題点を解決するために開発したものであり、その目的とするところは、浄水専用水栓を有する分岐型の浄水システムであって、簡単な操作でかつコンパクトな構造で浄水専用水栓の出口側からの浮遊菌等の浸入及びホース内の菌体増殖を抑え、優れた逆汚染防止機能を発揮することにある。
【００１２】
【課題を解決するための手段】
上記の目的を達成するため、請求項１に係る発明は、浄水器と接続するための浄水専用流路を水道流路から分岐し、この分岐した流路に浄水器を設けて水道水をろ過する浄水システムにおいて、少なくともろ過した浄水の吐水の終了時に、浄水を吐水するための浄水路内に水道水を導き、この水道水中に含まれる塩素により浄水を吐水する吐水口より雑菌が浸入するのを抑制するようにした浄水システムである。
【００１３】
請求項２に係る発明は、浄水の吐水停止状態において、浄水器の一次側と吐水口側とを短絡することにより、浄水器内の圧力をリリーフして、吐水口からの水漏れを防止した浄水システムである。
【００１４】
請求項３に係る発明は、浄水器と接続するための浄水専用流路を水道流路から分岐し、この分岐した流路に浄水器を設けて水道水をろ過する浄水システムに用いる水栓であって、水道流路から分岐した分岐流路と、この分岐流路から浄水器内に水道水を導くための一次側流路と、浄水器からの浄水を吐水するための吐水流路とを接続し、前記分岐流路を開閉する弁体に、前記吐水流路から分岐した吐水分岐流路を開閉するポートを形成し、少なくとも分岐流路の閉過程にて、分岐流路と吐水分岐流路とを前記ポートを介して連通し、水道水を吐水流路に導いた浄水システムに用いる浄水専用水栓である。
【００１５】
請求項４に係る発明は、分岐流路と吐水分岐流路との連通状態を維持できるよう、弁体の回動を固定するロック機構を設けた浄水システムに用いる浄水専用水栓である。
【００１６】
請求項５に係る発明は、上記分岐流路の閉止状態において、一次側流路と吐水分岐流路とを連通し、浄水器内の圧力を吐水分岐流路を介して吐水口からリリーフすることにより、吐水口からの水漏れを防止した浄水システムに用いる浄水専用水栓である。
【００１７】
【発明の実施の形態】
以下に、本発明における浄水システム及びこれに用いる浄水専用水栓の好ましい実施形態を図面に基づいて詳述する。
図１は、本発明の浄水システムの一例を示した説明図であり、図において、２は水道水の流れる水道流路であり、また、３はこの水道流路２から分岐し、浄水器８と接続するための分岐流路であり、この分岐流路３から水道水を水栓本体６内に導くようにしている。
【００１８】
４は分岐流路３から水栓本体６内に導いた水道水を浄水器８内に導くための一次側流路であり、また、５はこの浄水器８から浄水を吐水するための吐水流路である。この吐水流路５からは、吐水分岐流路５ａを分岐して設け、この吐水分岐流路５ａを弁体１０に接続するようにしている。
【００１９】
ロータリー式の弁体１０は、図７に示すように水栓本体６内部に円筒状に形成しており、この弁体１０は、ハンドル１７にセレーション結合等によって一体に軸着し、このハンドル１７によって回転可能に設けている。
弁体１０には、連通孔である第１ポート１１、第２ポート１２、及び第３ポート１３を穿孔して設け、弁体１０を回転させて水栓本体６の流路を開閉したときに水栓本体６を構成しているボデー６ａ内に固定したシェル１５に設けた図示しない孔を介して各ポート１１、１２及び１３がそれぞれ分岐流路３、吐水流路５（吐出分岐流路５ａ）及び一次側流路４とそれぞれ連通するようにしている。　また、図９に示す１４は弁体１０に設けた第４ポートであり、この第４ポートは、弁体１０を全閉した状態のときに一次側流路４と連通して流路を形成可能に設けている。
【００２０】
分岐流路３は、図７に示すようにホース１８によって水道流路２に設けた分岐継手３ａと水栓本体６とを接続するように形成され、水道流路２を流れる水道水が水栓本体６内に流入可能になるように設けている。また、一次側流路４は、ホース１９によって水栓本体６と浄水器８の流入口８ａとを接続するように形成され、弁体１０を通過した水道水を浄水器８内に流入可能に設けている。また、吐水流路５及び吐水分岐流路５ａは、図８に示すようにホース２０によって浄水器８の流出口８ｂと水栓本体６とを接続するように形成され、浄水器８から流出する浄水を水栓本体６の吐水口７から吐水可能になるように構成している。
【００２１】
１６は弁体１０とハンドル１７との間に介在させたリングであり、このリング１６のハンドル１７との対向面には略半球面状の凹状部１６ａを設けている。一方、１７ａはボールであり、このボール１７ａをスプリング１７ｂで弾発させて弾発部位を形成し、ハンドル１７の回転時にこのボール１７ａが凹状部１６ａに係止してクリック感を生じさせるようにしている。なお、必要に応じてこのハンドル１７にボール１７ａと凹状部１６ａとの係止位置に対応した操作位置を表記した表記部位を設けるようにしてもよい。
【００２２】
本発明の浄水システムは、少なくともろ過した浄水の吐水終了時に、ハンドル１７の回転によって弁体１０を開閉させて浄水を吐水するための浄水路である吐水流路５内に水道水を導くことによって、この水道水を浄水の吐水口７まで導き、水道水中に含まれる塩素（遊離残留塩素）によって雑菌が吐水口７より浸入するのを抑制するようにした。
【００２３】
この浄水システムにおいて、水栓本体６は、浄水器８と接続するための水道流路２から分岐した分岐流路３と、この分岐流路３から浄水器８内に水道水を導くための一次側流路４と、浄水器８からの浄水を吐水するための吐水流路５とを接続し、前記分岐流路３を開閉する弁体１０に、前記吐水流路５から分岐した吐水分岐流路５ａを開閉するポート１２を形成し、少なくとも分岐流路３の閉過程にて、分岐流路３と吐水分岐流路５ａとを前記ポート１２を介して連通し、水道水を吐水流路５に導くようにしている。
【００２４】
また、８ｃは浄水器８のケーシングであり、このケーシング８ｃの内部には図示しない中空糸膜等を内装して浄水効果を得ている。ケーシング８ｃは、樹脂製からなるため通水時には水圧により膨張し、吐水の終了時に水栓本体６を閉じた際に、このケーシング８ｃ内の残圧によって吐水口７より浄水が漏れ出そうとするが、浄水の吐水停止状態において浄水器８の一次側流路４と吐水流路５とを短絡することにより浄水器８内の圧力をリリーフして、吐水口７からの水漏れを防止するようにした。
【００２５】
なお、吐水流路５の浄水器８側に逆止弁を設けたり、弁体１０に吐水流路５を開閉する新たなポートを設ける等して、吐水分岐流路５ａを流れる水道水が吐水流路５を経由して浄水器８側に流れ込まないようにしてもよい。
【００２６】
次に、上記浄水システム及びこれに用いる浄水専用水栓の作用を説明する。
図９において、弁体１０の状態を示した概略断面図であり、図９（ａ）は図７のＡ−Ａ線断面図、図９（ｂ）は図７のＢ−Ｂ線断面図、図９（ｃ）は図７のＣ−Ｃ線断面図である。
また、図２から図６において、矢印は水道水や浄水の流れ方向を示し、×印部はその流路に流体が流れないことを示している。なお、図２から図６に示した水栓ハンドル位置は、図７においてＤ方向から見た状態を示す。
【００２７】
まず、吐水の停止状態を説明する。この状態は、図２と図９に示すように、ハンドル１７を操作せず、弁体１０を全閉した状態であって、弁体１０の回転角度を０度としたものである。このとき、分岐流路３と第１ポート１１は連通しないため、吐水口７からの吐水は行われない。
図１０は、弁体１０の回転角度を約１５度としたものであり、この状態であっても吐水口７からの吐水は行われない。
【００２８】
次に、水道水の吐水状態について説明する。この状態は、図３と図１１に示すように、ハンドル１７を回転操作して弁体１０を開状態にして分岐流路３と第１ポート１１、吐水分岐流路５ａと第２ポート１２とをそれぞれ連通させた状態にしたものである。このとき水道水は分岐流路３から弁体１０を通過して吐水分岐流路５ａ側に流れ、吐水口７から水道水が流れ出る。
なお、本実施形態においては、弁体１０は０〜９０度までの回転角度で回転可能であり、この回転範囲内で水道水及び浄水を流水可能に設けており、例えば、図１１の状態においては、弁体１０を約３０度回転させた状態であり、この状態で分岐流路３から吐水分岐流路５ａへ流れ込む水道水の吐水量が最大になるようにしている。このとき凹状部１６ａにボール１７ａが弾発係止するようにしているので、クリック感を有するロック機構９となり、このロック機構９によって弁体１０の回動を固定して分岐流路３と吐水分岐流路５ａとの連通状態を維持することができると共に、水栓の利用者がクリック感を感じることにより、水道水の吐水状態であることを認識することができる。
図４と図１２は、弁体１０を約４５度回転させた状態であり、吐水口７からの水道水の吐水が停止した状態である。
【００２９】
次に、浄水の吐水状態について説明する。この状態は、図５と図１３ないし図１４に示すように、弁体１０を回転して分岐流路３と第１ポート１１、一次側流路４と第３ポート１３をそれぞれ連通させて開状態にし、一方、吐水分岐流路５ａと第２ポート１２を閉状態にしたものである。このとき水道水は、分岐流路３から第１ポート１１、第３ポート１３を介して一次側流路４に流れ込むため、浄水器８により水道水の浄水化が開始され、吐水口７から浄水が吐水される。なお、図１４は弁体１０を略９０度回転させた状態であり、この状態において浄水の吐水量が最大となる。
【００３０】
続いて、浄水の吐水を停止させようとする場合には、ハンドル１７を操作して弁体１０の第１ポート１１が閉となる状態まで回転しようとすると、図３の状態で吐水分岐流路５ａに水道水が流れ込み、図３と図１１の状態でロック機構９のロック作用が働くため、ロック機構９によってこの状態を短時間維持するようにすれば、この状態は原水吐水量が最大であるから水道水が分岐流路３から弁体１０内に大量に流れ込み、さらに、この水道水は第２ポート１２から吐水分岐流路５ａに流れ込むため吐水分岐流路５ａから吐水口７までの流路を水道水で満たした状態にすることができる。
従って、本発明の浄水システムによると、浄水のみを吐出させるための浄水専用水栓でありながら、浄水の使用後にハンドル１７を回転するときに一旦この回転を停止した状態を維持するようにするだけで吐水流路５からホース２０及び吐水口７の先端側までを塩素等を含んだ水道水で満たすことで、この水道水によって塩素消毒することができ、菌類の浸入を抑えて吐水口７からの逆汚染を防ぐことができる。
従って、電磁弁等を用いる必要なく、手動弁体による浄水吐水流路の開閉回動の範囲内において、水道水を浄水吐水流路に導くことができ、吐水口７からの逆汚染や、浄水が弱アルカリ性に傾くことによる浄水吐水流路内の二次汚染の発生も防ぐことができる。
なお、本実施例においては、浄水の吐水の開始時、終了時、両方の場合において水道水を吐水分岐流路５ａを介して吐水口７まで導くことができるので、浄水の吐水終了時のみ水道水を吐水口７に導く構造の水栓に比べて構造をシンプルなものとすることができる。
【００３１】
ここで、浄水器８の吐水量を５Ｌ／ｍｉｎとすると５０００（ｃｃ／ｍｉｎ）／６０（ｓｅｃ）＝８３．３（ｃｃ／ｓｅｃ）となり、例えば、弁体１０から吐水口７までの容量を平均的な約７６ｃｃとした場合には、図１１のロック状態を約１ｓｅｃ保持することで吐水分岐流路５ａから吐水口７までを水道水で満たすことができる。このとき浄水器８内は浄水で満水の状態を維持することができる。
【００３２】
また、浄水の吐水停止状態である図９の（ａ）の状態において、浄水器８の一次側である一次側流路４と吐水側である吐水分岐流路５ａとを第４ポート１４と第２ポート１２で短絡することにより図６のように分岐流路３を閉状態にする際に浄水器８内の残圧を吐水分岐流路５ａを介して吐水口７側にバイパスさせて浄水器８内の圧力をリリーフするようにしているので、浄水器８内の水圧による圧力を下げることによってこの浄水器８の内圧と吐水口７との圧力を同圧にして吐水口７からの水漏れを防止することができる。
このように水栓本体６を閉にする際には、吐水口７を水道水で満たすことができると共に、浄水の出口が閉状態になることでケーシング８ｃ内に残圧が残ったままになることがないので、浄水器８の寿命が長くなり、また、メンテナンス時にも浄水器８を止水状態であれば、浄水器８の内圧を気にすることなく取外すことが可能となるという二次的効果がある。
【００３３】
このように、本発明の浄水システム及びこれに用いる浄水専用水栓によれば、分岐流路の開閉過程、すなわち浄水の吐水操作の過程において水道水を浄水器内に導くことができ、簡単な操作で浄水器内における雑菌の繁殖を防ぐことができる。また、浄水と原水の切換機構を水栓の操作部に内蔵したので、浄水システムや水栓全体をコンパクトにすることができると共に、弁体の手動回転のみで切換操作での水道水を浄水器内に導くことができ、停電などの影響を受けることなく浄水器内における雑菌の繁殖を防ぐことができる。
【００３４】
なお、本実施形態以外の水道水の閉止位置から浄水の吐水量が全開となるまでのハンドル１７の回転角度としてもよく、例えば、０〜１２０度までの範囲の回転角度となるようにしてもよい。この場合、弁体を回転させたときに水道水の吐水量が最大になる角度としては約６０度程度とするのが望ましく、この状態において凹状部１６ａにボール１７ａが弾発するようなロック機構を設けるのがよい。
【００３５】
【発明の効果】
以上のことから明らかなように、請求項１に係る発明によると、機能性に優れた浄水専用水栓を有する分岐型の浄水システムであり、塩素を含み、消毒殺菌作用を有する水道水を簡単な操作によって浄水の吐水終了時に浄水路内に導くことによって浄水水栓出口側である吐水口から浮遊菌等の菌類が浸入することを防いで逆汚染を防止することが可能となる。また、ホース内の菌類の増殖を抑える効果があり、優れた逆汚染防止機能を発揮することのできるコンパクトな構造の浄水システムである。
【００３６】
請求項２に係る発明によると、水栓本体を閉状態とする際に、浄水器の一次側の水道水がプレッシャリリーフ機能によってこの水栓本体の出口付近に押し出されるので、浄水器のケーシング内には残圧が残らず、吐水口からの浄水漏れがない。
【００３７】
請求項３に係る発明によると、簡単な構成によって吐水口まで水道水を導くことのできる水栓であり、浄水システム全体をコンパクトな構成に設けることができる浄水システムに用いる浄水専用水栓である。
【００３８】
請求項４に係る発明によると、手動によって弁体を回動したときに容易に流路の連通状態を維持することができ、また、水栓の吐水状態を簡単に認識することができる浄水システムに用いる浄水専用水栓である。
【００３９】
請求項５に係る発明によると、流路を閉状態にした後の消毒殺菌作用を維持することができ、流路内の雑菌の繁殖と逆汚染を確実に防ぐことができる浄水システムに用いる浄水専用水栓である。
【図面の簡単な説明】
【図１】本発明の浄水システムの一例を示した概略説明図である。
【図２】本発明の浄水システムを示す概略説明図である（弁体回転角度約０°）。
【図３】本発明の浄水システムを示す概略説明図である（弁体回転角度約３０°）。
【図４】本発明の浄水システムを示す概略説明図である（弁体回転角度約４５°）。
【図５】本発明の浄水システムを示す概略説明図である（弁体回転角度約６０〜９０°）。
【図６】浄水器内の圧力を一次側流路にリリーフさせる作用を示す概略説明図である（弁体回転角度約０°）。
【図７】水栓本体の半截断面図である。
【図８】図８の中央縦断面図である。
【図９】弁体の状態を示した概略断面図である。（ａ）は図７のＡ−Ａ線断面図、（ｂ）は図７のＢ−Ｂ線断面図、（ｃ）は図７のＣ−Ｃ線断面図である。
【図１０】（ａ）ないし（ｃ）は図９の弁体が約１５°回転した状態を示した概略断面図である。
【図１１】（ａ）ないし（ｃ）は図９の弁体が約３０°回転した状態を示した概略断面図である。
【図１２】（ａ）ないし（ｃ）は図９の弁体が約４５°回転した状態を示した概略断面図である。
【図１３】（ａ）ないし（ｃ）は図９の弁体が約６０°回転した状態を示した概略断面図である。
【図１４】（ａ）ないし（ｃ）は図９の弁体が約９０°回転した状態を示した概略断面図である。
【符号の説明】
２　水道流路
３　分岐流路
４　一次側流路
５　吐水流路
５ａ　吐水分岐流路
６　水栓本体（浄水路）
７　吐水口
８　浄水器
９　ロック機構
１０　弁体
１１　第１ポート
１２　第２ポート
１３　第３ポート
１４　第４ポート
【図１】
2004100351.tif 000003
【図２】
2004100351.tif 000004
【図３】
2004100351.tif 000005
【図４】
2004100351.tif 000006
【図５】
2004100351.tif 000007
【図６】
2004100351.tif 000008
【図７】
2004100351.tif 000009
【図８】
2004100351.tif 000010
【図９】
2004100351.tif 000011
【図１０】
2004100351.tif 000012
【図１１】
2004100351.tif 000013
【図１２】
2004100351.tif 000014
【図１３】
2004100351.tif 000015
【図１４】
2004100351.tif 000016